(57)【要約】【課題】  温水洗浄装置の前端部位のボウル部への張り出し量を大きくしないでも、吸気口の開口面積を広げて脱臭能力の向上を図ることのできる便器装置を提供する。【解決手段】  便器２のボウル部５の後部上面６に脱臭装置４を内装した温水洗浄装置３を載設してなる脱臭機能付きの便器装置１である。便器２のボウル部５の開口後縁部にボウル部５内に連通する凹没部７を形成する。温水洗浄装置３の下面３ａを凹没部７の底面７ａに載置する。温水洗浄装置３の下面３ａの前端部位に上方に凹ませて前方に開口せる凹部８を設ける。この凹部８の立上り面８ａに設けた前方吸気口１０ａと、凹部８の天井面８ｂに設けた下方吸気口１０ｂとで脱臭装置４の吸気口１０を構成する。【選択図】        図１
2006002488.tif 000002
【特許請求の範囲】
【請求項１】
便器のボウル部の後部上面に脱臭装置を内装した温水洗浄装置を載設してなる脱臭機能付きの便器装置にあって、便器のボウル部の開口後縁部にボウル部内に連通する凹没部を形成し、温水洗浄装置の下面を凹没部の底面に載置し、温水洗浄装置の下面の前端部位に上方に凹ませて前方に開口せる凹部を設け、この凹部の立上り面に設けた前方吸気口と、凹部の天井面に設けた下方吸気口とで脱臭装置の吸気口を構成したことを特徴とする脱臭機能付きの便器装置。
【請求項２】
便器の凹没部に温水洗浄装置の凹部を収納して凹没部の底面と凹部の立上り面と凹部の天井面とで囲まれた空所を形成し、便器の凹没部の前縁にボウル部の内面に連なる汚水侵入防止壁を立設し、この汚水侵入防止壁を上記空所の前方開口付近に位置させたことを特徴とする請求項１記載の脱臭機能付きの便器装置。
【発明の詳細な説明】
【技術分野】
【０００１】
本発明は、脱臭機能付きの便器装置に関するものである。
【背景技術】
【０００２】
従来から、局部洗浄を行う温水洗浄装置には脱臭装置を内装したものがある。便器のボウル部の上面と面一の便器のボウル部の後部上面に載設した温水洗浄装置は、その前端部分をボウル部に張り出すようにして配置される。ここで、温水洗浄装置の脱臭装置の吸込口としては、この温水洗浄装置の前端部分の下面にボウル部内に臨むように下方に開口せる下方吸込口を設けてある。このように、脱臭装置を内装した温水洗浄装置を便器に配設することで、ボウル部内の脱臭を行える脱臭機能付きの便器装置を得ていた（たとえば、特許文献１参照）。
【０００３】
しかしながら、温水洗浄装置の前端部位には洗浄ノズルなどの局部洗浄にかかる部材も配設されるのであるから、下方吸込口の開口面積は充分に大きくとることができなく、そのため、充分な脱臭が行われていないのが現状であった。なお、温水洗浄装置の前端部位のボウル部への張り出し寸法を大きくした場合には、下方吸気口の開口面積を広げることができるのであるが、相対的にボウル部の開口面積が小さくなって便器の使用性が悪くなると共に、ボウル部に張り出した温水洗浄装置の前端部位に汚水などが跳ねて付着して逆にトイレの悪臭を助長させることとなる。
【特許文献１】特開平８−１１３９７０号公報
【発明の開示】
【発明が解決しようとする課題】
【０００４】
本発明は上記の従来の問題点に鑑みて発明したものであって、温水洗浄装置の前端部位のボウル部への張り出し量を大きくしないでも、吸気口の開口面積を広げて脱臭能力の向上を図ることのできる便器装置を提供することを課題とするものである。
【課題を解決するための手段】
【０００５】
上記課題を解決するために本発明の請求項１に係る脱臭機能付きの便器装置にあっては、便器２のボウル部５の後部上面６に脱臭装置４を内装した温水洗浄装置３を載設してなる脱臭機能付きの便器装置１にあって、便器２のボウル部５の開口後縁部にボウル部５内に連通する凹没部７を形成し、温水洗浄装置３の下面３ａを凹没部７の底面７ａに載置し、温水洗浄装置３の下面３ａの前端部位に上方に凹ませて前方に開口せる凹部８を設け、この凹部８の立上り面８ａに設けた前方吸気口１０ａと、凹部８の天井面８ｂに設けた下方吸気口１０ｂとで脱臭装置４の吸気口１０を構成したことを特徴とする。
【０００６】
これによると、便器２のボウル部５の開口後縁部にボウル部５内に連通する凹没部７を形成し、この凹没部７の底面７ａに温水洗浄装置３の下面３ａを載置し、温水洗浄装置３の前端部分に上方に凹ませて前方に開口せる凹部８を設けたので、凹没部７の凹没深さ分の凹部８の立上り面８ａを得ることができ、しかして、凹部８の天井面８ｂに設けた下方吸気口１０ｂに加えて凹部８の立上り面８ａに設けた前方吸気口１０ａによって脱臭装置４の吸気口１０を構成することができ、したがって、温水洗浄装置３の前端部位のボウル部５への張り出し量を大きくしないでも、吸気口１０の開口面積を広げて脱臭能力の向上を図ることができる。また、脱臭装置４の吸気口１０を下方吸気口１０ｂと前方吸気口１０ａとで構成したことによると、前方吸気口１０ａによってボウル部５の前方域から吸気できると共に下方吸気口１０ｂによってボウル部５の下方域から吸気できるから、ボウル部５の広い範囲の空気を吸気できて脱臭効果を向上できる。
【０００７】
また、請求項２に係る脱臭機能付きの便器装置１にあっては、請求項１において、便器の凹没部７に温水洗浄装置３の凹部８を収納して凹没部７の底面７ａと凹部８の立上り面８ａと凹部８の天井面８ｂとで囲まれた空所９を形成し、便器２の凹没部７の前縁にボウル部５の内面に連なる汚水侵入防止壁１１を立設し、この汚水侵入防止壁１１を上記空所９の前方開口付近に位置させたことを特徴とする。
【０００８】
これによると、便器２の凹没部７に温水洗浄装置３の凹部８を収納して温水洗浄装置３の前端部位と便器２との間にボウル部５内に連通する空所９を形成したことから、温水洗浄装置３の前端部位の便器２のボウル部５への張り出し量を小さくできて便器２の使用性を向上でき、また、空所９の前方開口付近に位置された汚水侵入防止壁１１によってボウル部５から跳ねた汚水の空所９内への侵入を防止でき、ボウル部５の内面に連なる汚水侵入防止壁１１に汚水が付着してもこの汚水をボウル部５に流下させることができるから、便器装置１を清潔に保つことができる。
【発明の効果】
【０００９】
本発明は、温水洗浄装置の前端部位のボウル部への張り出し量を大きくしないでも、吸気口の開口面積を広げて脱臭能力の向上を図ることができるという効果を有する。
【発明を実施するための最良の形態】
【００１０】
以下、本発明を添付図面に示す実施形態に基いて説明する。
【００１１】
本例の脱臭機能付きの便器装置１は、脱臭装置４を内装した温水洗浄装置３を便器２に配設したことで構成される。便器２は前部に上方に開口せるボウル部５が設けられており、ボウル部５の後部上面６に温水洗浄装置３が載置される。温水洗浄装置３は、上記脱臭装置４のほかに局部洗浄にかかる洗浄ノズルなどの洗浄装置１２が内臓されており、その前部には便蓋１３や便座１４が上下に回動自在に取り付けられている。この温水洗浄装置３では、洗浄装置１２は温水洗浄装置３の左右方向の中央部分に内装され、洗浄装置１２を構成する局部洗浄のための洗浄ノズルは温水洗浄装置３の前端部分における左右方向の中央部に配設されており、また、脱臭装置４は温水洗浄装置３の一方の側端部（本例では右端部）に内装され、脱臭装置４の吸気口１０は温水洗浄装置３の前端部分における一方の側端部（本例では右端部）に設けられている。ここで、本例の脱臭装置４は、図３，６のように、吸気口１０から排気口１５に至る空気流路２０内に、空気を脱臭するための脱臭フィルター１６や脱臭ハニカム１７、空気を吸気口１０から吸入して排気口１５に排出するためのファン１８が前方から順に備えられて構成されている。なお、吸気口１０から脱臭フィルター１６に至るダクト１９は、温水洗浄装置３のハウジングを構成する下部ハウジング１９ａと、この下部ハウジング１９ａのダクト形成部分に上方から取り付けられる上部ハウジング１９ｂとで形成されている。
【００１２】
便器２のボウル部５の開口縁には、強度向上のためやボウル洗浄水をボウル部５の内部全体に行き渡らせるための周回リブ状のリム部２１が形成されている。また、便器２のボウル部５の開口後縁部には、便器２のボウル部５の開口後縁部にあるべきリム部２１の上部を切除するようにして、ボウル部５の左右後域部を構成するリム部２１ａの上面よりも一段低くなるように形成された凹没部７が設けられている。この凹没部７は、前方に開口してボウル部５内に連通しており、また温水洗浄装置３が載置されるボウル部５の後部上面６の前域部を構成している。つまり、温水洗浄装置３をボウル部５の後部上面６に配設した際には、温水洗浄装置３の前部の下面３ａが凹没部７の底面７ａに載置されるようにして温水洗浄装置３の前部が凹没部７に収納されるのである。詳しくは、ボウル部５の上方開口は上面視で略前後に長い楕円形状であり、温水洗浄装置３は上面視で矩形形状を有しているので、温水洗浄装置３をボウル部５の後部上面６に配設した状態では、温水洗浄装置３の前端部分の左右中央部がボウル部５に張り出すようになっており、温水洗浄装置３の前端部分の左右端部は比較的ボウル部５に張り出さずに上記凹没部７に収納されるようになっている。
【００１３】
この凹没部７に収納される温水洗浄装置３の前端部分の一方の左右端部（本例では右端部）には、脱臭装置４の吸気口１０が設けられている。詳しくは、図１，５のように、脱臭装置４の吸気口１０が設けられる温水洗浄装置３の下面３ａの前端部位には上方に凹ませて前方に開口せる凹部８が形成されており、温水洗浄装置３の前端部位を凹没部７に収納した際には、凹没部７の底面７ａと凹部８の立上り面８ａと凹部８の天井面８ｂとで囲まれた空所９が形成されるようになっている。また、上記のように空所９は凹部８と凹没部７とで形成されるのであるが、温水洗浄装置３の凹部８が前方に開口して形成されると共に便器２の凹没部７が前方に開口してボウル部５に連通するようにされているので、上記空所９はボウル部５に連通するように前方に開口せる空間とされている。そして、脱臭装置４の吸気口１０は、凹部８の天井面８ｂに開口して上記空所９に臨む下方吸気口１０ｂと、凹部８の立上り面８ａに開口して上記空所９に臨む前方吸気口１０ａとで構成されているのである。
【００１４】
なお、図７のように、温水洗浄装置３の凹部８は、上部カバー２２と共に温水洗浄装置３のハウジングを構成する下部ハウジング１９ａに形成されており、上部ハウジング１９ｂは下部ハウジング１９ａのダクト形成部分を上方から覆うように取付けられる。そして、凹部８の立上り面８ａや天井面８ｂはそれぞれ下部ハウジング１９ａの壁状部位にて構成されており、前方吸気口１０ａや下方吸気口１０ｂは各凹部８の立上り面８ａや天井面８ｂを構成する各壁状部位に貫通して形成されている。この前方吸気口１０ａや下方吸気口１０ｂは下部ハウジング１９ａと上部ハウジング１９ｂとで囲まれたダクト１９内部と上記空所９とを連通しているのである。つまり、ボウル部５の内部の臭気成分を含んだ空気は、脱臭装置４のファン１８の駆動によって、矢印Ａ，Ｂのように前方吸気口１０ａや下方吸気口１０ｂからダクト１９内に吸引され、脱臭フィルター１６や脱臭ハニカム１７にて脱臭処理がなされて、排気口１５から排気されるようになっている。
【００１５】
このように本例の便器装置１にあっては、便器２のボウル部５の開口後縁部にボウル部５内に連通する凹没部７を形成し、凹没部７の底面７ａに温水洗浄装置３の下面３ａを載置し、温水洗浄装置３の前端部分に上方に凹ませて前方に開口せる凹部８を設けたので、凹没部７の凹没深さ分の凹部８の立上り面８ａを得ることができ、しかして、凹部８の天井面８ｂに設けた下方吸気口１０ｂに加えて凹部８の立上り面８ａに設けた前方吸気口１０ａによって脱臭装置４の吸気口１０を構成することができ、したがって、温水洗浄装置３の前端部位のボウル部５への張り出し量を大きくしないでも、吸気口１０の開口面積を広くとることができ、吸気量を増大させて脱臭能力の向上が図られているのである。つまり、従来の便器装置１では脱臭装置４の吸気口１０が下方吸気口１０ｂでのみ構成されていたのに対し、本例の便器装置１では脱臭装置４の吸気口１０が下方吸気口１０ｂに加えて前方吸気口１０ａによって構成できたものであり、吸気口１０の開口面積が広くなって吸気量が増大し、脱臭能力の向上が図られているのである。また、脱臭装置４の吸気口１０を下方吸気口１０ｂと前方吸気口１０ａとで構成したことによると、前方吸気口１０ａによってボウル部５の前方域から吸気することができ（矢印Ａ）、下方吸気口１０ｂによってボウル部５の下方域から吸気することができるから（矢印Ｂ）、すなわち、ボウル部５の広い範囲の空気を吸気できるといった利点も有しており、脱臭効果の向上が図られているのである。
【００１６】
更に言うと、本例では、便器２の凹没部７に温水洗浄装置３の凹部８を収納させたことで、温水洗浄装置３の前端部位と便器２との間にはボウル部５内に連通する空所９が形成されていることから、本例のように、ボウル部５の後端に前端部位を位置させて温水洗浄装置３を便器２に配設しても（温水洗浄装置３の前端部位をボウル部５にほとんど張り出さないようにしても）、上記前方吸気口１０ａと下方吸気口１０ｂとで構成した吸気口１０による脱臭能力の向上効果を得ることができる。また、このように温水洗浄装置３の前端部位をボウル部５にほとんど張り出さないようにして温水洗浄装置３を便器２に配設できた場合には、相対的にボウル部５の開口面積を大きく残すことができるので、便器の使用性を向上させることができるのである。
【００１７】
なお、本例では、上記温水洗浄装置３の凹部８は、温水洗浄装置３を便器２に配設した際に便器２の凹没部７の左右端部（本例では右端部）に位置するように、温水洗浄装置３の前端部分の左右端部（本例では右端部）に形成されており、つまり、温水洗浄装置３の凹部８を便器２の凹没部７に収納して形成される空所９は、便器２の凹没部７の左右端部（本例では右端部）に位置して形成されている。ここで、便器２の凹没部７の左右端部にあってはボウル部５の左右後域部を構成するリム部２１ａが凹没部７の底面７ａから立ち上がるように隣接している。したがって、便器２の凹没部７の左右端部（本例では右端部）に形成された空所９には、ボウル部５の左右後域部（本例では右後域部）を構成するリム部２１ａが隣接している。また、本例の便器２の凹没部７の前縁における左右端部には、ボウル部５の左右後域部（本例では右後域部）を構成するリム部２１ａから延設された汚水侵入防止壁１１が、凹没部７の左右中央部に向けて形成されている。なお、この汚水侵入防止壁１１は、空所９の高さ寸法よりは低い高さ寸法を有すると共にリム部２１同様にボウル部５の内面に連なるように形成された壁状部位である。しかして、本例の空所９には図１のように汚水侵入防止壁１１が空所９の前方開口付近に位置するように収容されている。空所９の前方開口付近に位置された汚水侵入防止壁１１によると、ボウル部５から跳ねた汚水の空所９内への侵入が防止されるのである。また、汚水侵入防止壁１１に汚水が付着しても、この汚水侵入防止壁１１はボウル部５の内面に連なるように形成されているため、上記汚水はボウル部５にすみやかに流下されるようになっている。このように、上記空所９は汚水侵入防止壁１１によって汚水の侵入が有効に防止されているのであり、また汚水侵入防止壁１１に付着した汚水もすみやかにボウル部５に流すことができるので、便器装置１を清潔に保ち得るように図られているのである。
【図面の簡単な説明】
【００１８】
【図１】本発明の実施の形態の例の便器装置における吸気口付近の縦断面図（図４（ａ）のＸ−Ｘ線縦断面図）である。
【図２】同上の便器装置の分解斜視図である。
【図３】同上の便器装置の断面斜視図である。
【図４】（ａ）は同上の便器装置の上面図であり、（ｂ）は同上の便器装置の側面図である。
【図５】図４（ｂ）のＹ−Ｙ線水平断面図である。
【図６】同上の便器装置の要部の縦断面図である。
【図７】同上の便器装置における温水洗浄便座の上部カバーと洗浄装置を外した状態の斜視図である。
【図８】同上の便器装置における温水洗浄便座を下部ハウジングのみの状態にしたときの図７の矢印Ｃ方向から見た斜視図である。
【図９】同上の便器装置における温水洗浄便座を下部ハウジングのみの状態にしたときの図７の矢印Ｄ方向から見た斜視図である。
【符号の説明】
【００１９】
１  便器装置
２  便器
３  温水洗浄装置
３ａ  下面
４  脱臭装置
５  ボウル部
６  後部上面
７  凹没部
７ａ  底面
８  凹部
８ａ  立上り面
８ｂ  天井面
９  空所
１０  吸気口
１０ａ  前方吸気口
１０ｂ  下方吸気口
１１  汚水侵入防止壁
【図１】
2006002488.tif 000003
【図２】
2006002488.tif 000004
【図３】
2006002488.tif 000005
【図４】
2006002488.tif 000006
【図５】
2006002488.tif 000007
【図６】
2006002488.tif 000008
【図７】
2006002488.tif 000009
【図８】
2006002488.tif 000010
【図９】
2006002488.tif 000011